(57)【要約】【課題】利用者が解錠操作を行わずに通話を終了した場合でも、開閉部材を解錠することができること。【解決手段】インターホン親機１０は、通信部１１と、制御部１２と、を備える。通信部１１は、利用者が利用する第１エリアに設けられて、第２エリアに設置されたインターホン子機２０が来訪者による操作を受けることをトリガとして、インターホン子機２０との間で通信可能に構成されている。制御部１２は、維持機能を有する。維持機能は、通話状態が終了した後に、解錠操作を受け付ける受付状態を維持する機能である。通話状態は、来訪者と利用者との間で通話を行う状態である。解錠操作は、第１エリアと第２エリアとの間の開口部を開閉する開閉部材を解錠するための操作である。【選択図】図１
2019140579.tif 000002
【特許請求の範囲】
【請求項１】
利用者が利用する第１エリアに設けられて、第２エリアに設置されたインターホン子機が来訪者による操作を受けることをトリガとして、前記インターホン子機との間で通信可能な通信部と、
前記インターホン子機及び前記通信部を介して前記来訪者と前記利用者との間で通話を行う通話状態が終了した後に、前記第１エリアと前記第２エリアとの間の開口部を開閉する開閉部材を解錠するための解錠操作を受け付ける受付状態を維持する維持機能、を有する制御部と、を備える、
インターホン親機。
【請求項２】
前記制御部は、前記受付状態において前記解錠操作を受け付けると、前記開閉部材を解錠する、
請求項１記載のインターホン親機。
【請求項３】
前記制御部は、前記受付状態において、前記通話を開始するための通話操作を受け付けると、前記通話状態を再開させ、
前記制御部は、前記通話状態において前記解錠操作を受け付けると、前記開閉部材を解錠する、
請求項１又は２に記載のインターホン親機。
【請求項４】
前記制御部は、前記受付状態である旨を前記利用者へ報知する、
請求項１〜３のいずれか１項に記載のインターホン親機。
【請求項５】
表示部を更に備え、
前記通信部は、前記第２エリアにて撮影された画像を、前記インターホン子機を介して取得可能であり、
前記制御部は、前記受付状態において前記第２エリアにて撮影された画像を前記表示部に表示する、
請求項１〜４のいずれか１項に記載のインターホン親機。
【請求項６】
前記制御部は、前記受付状態において前記開閉部材が解錠されていない旨を前記利用者へ報知する、
請求項１〜５のいずれか１項に記載のインターホン親機。
【請求項７】
請求項１〜６のいずれか１項に記載のインターホン親機と、
前記インターホン子機と、を備える、
インターホンシステム。
【請求項８】
利用者が利用する第１エリアに設けられて、第２エリアに設置されたインターホン子機が来訪者による操作を受けることをトリガとして、前記インターホン子機との間で通信可能なインターホン親機として機能する機器の制御方法であって、
前記インターホン子機及び前記インターホン親機を介して前記来訪者と前記利用者との間で通話を行う通話状態が終了した後に、前記第１エリアと前記第２エリアとの間の開口部を開閉する開閉部材を解錠する解錠操作を受け付ける受付状態を維持する維持ステップ、を有する、
制御方法。
【請求項９】
利用者が利用する第１エリアに設けられて、第２エリアに設置されたインターホン子機が来訪者による操作を受けることをトリガとして、前記インターホン子機との間で通信可能なインターホン親機として機能する機器を制御するためのプログラムであって、
コンピュータシステムに、
前記インターホン子機及び前記インターホン親機を介して前記来訪者と前記利用者との間で通話を行う通話状態が終了した後に、前記第１エリアと前記第２エリアとの間の開口部を開閉する開閉部材を解錠する解錠操作を受け付ける受付状態を維持する維持ステップ、を実行させるための、
プログラム。
【発明の詳細な説明】
【技術分野】
【０００１】
本開示は、一般にインターホン親機、インターホンシステム、制御方法、及びプログラムに関する。より詳細には、本開示は、インターホン子機と通話可能なインターホン親機、インターホンシステム、制御方法、及びプログラムに関する。
【背景技術】
【０００２】
特許文献１には、集合住宅向けのインターホンシステムが開示されている。このインターホンシステムは、集合住宅のロビーに設置されて所望の住戸の居住者を呼び出し可能なロビーインターホンと、住戸内に設置されてロビーインターホンとの間で通話可能とするインターホン親機と、を備えている。インターホン親機は、ロビーの自動ドアに設置された電気錠を解錠させるための解錠釦を有している。インターホン親機は、ロビーインターホンとインターホン親機との間で通話が可能となっている状態で解錠釦が押し操作されると、電気錠を解錠させるための制御信号を出力する。
【先行技術文献】
【特許文献】
【０００３】
【特許文献１】特開２０１３−２６８５０号公報
【発明の概要】
【発明が解決しようとする課題】
【０００４】
しかしながら、特許文献１に記載のインターホンシステムでは、居住者（利用者）が解錠釦を押さずに（つまり、解錠操作を行わずに）通話を終了する操作を行った場合、ロビーの自動ドア（開閉部材）を解錠することができない、という問題があった。
【０００５】
本開示は、上記の点に鑑みてなされており、利用者が解錠操作を行わずに通話を終了した場合でも、開閉部材を解錠することのできるインターホン親機、インターホンシステム、制御方法、及びプログラムを提供することを目的とする。
【課題を解決するための手段】
【０００６】
本開示の一態様に係るインターホン親機は、通信部と、制御部と、を備える。前記通信部は、利用者が利用する第１エリアに設けられて、第２エリアに設置されたインターホン子機が来訪者による操作を受けることをトリガとして、前記インターホン子機との間で通信可能に構成されている。前記制御部は、維持機能を有する。前記維持機能は、通話状態が終了した後に、解錠操作を受け付ける受付状態を維持する機能である。前記通話状態は、前記インターホン子機及び前記通信部を介して前記来訪者と前記利用者との間で通話を行う状態である。前記解錠操作は、前記第１エリアと前記第２エリアとの間の開口部を開閉する開閉部材を解錠するための操作である。
【０００７】
本開示の一態様に係るインターホンシステムは、上記のインターホン親機と、前記インターホン子機と、を備える。
【０００８】
本開示の一態様に係る制御方法は、インターホン親機として機能する機器の制御方法である。前記インターホン親機は、利用者が利用する第１エリアに設けられて、第２エリアに設置されたインターホン子機が来訪者による操作を受けることをトリガとして、前記インターホン子機との間で通信可能に構成されている。この制御方法は、維持ステップを有する。前記維持ステップは、通話状態が終了した後に、解錠操作を受け付ける受付状態を維持するステップである。前記通話状態は、前記インターホン子機及び前記インターホン親機を介して前記来訪者と前記利用者との間で通話を行う状態である。前記解錠操作は、前記第１エリアと前記第２エリアとの間の開口部を開閉する開閉部材を解錠するための操作である。
【０００９】
本開示の一態様に係るプログラムは、インターホン親機として機能する機器を制御するためのプログラムである。前記インターホン親機は、利用者が利用する第１エリアに設けられて、第２エリアに設置されたインターホン子機が来訪者による操作を受けることをトリガとして、前記インターホン子機との間で通信可能に構成されている。このプログラムは、コンピュータシステムに、維持ステップを実行させるためのプログラムである。前記維持ステップは、通話状態が終了した後に、解錠操作を受け付ける受付状態を維持するステップである。前記通話状態は、前記インターホン子機及び前記インターホン親機を介して前記来訪者と前記利用者との間で通話を行う状態である。前記解錠操作は、前記第１エリアと前記第２エリアとの間の開口部を開閉する開閉部材を解錠するための操作である。
【発明の効果】
【００１０】
本開示は、利用者が解錠操作を行わずに通話を終了した場合でも、開閉部材を解錠することができる、という利点がある。
【図面の簡単な説明】
【００１１】
【図１】図１は、本開示の一実施形態に係るインターホン親機及びインターホン子機を備えたインターホンシステムを示すブロック図である。
【図２】図２は、同上のインターホン親機の外観を示す概略正面図である。
【図３】図３は、同上のインターホンシステムの適用例を示す概略図である。
【図４】図４は、同上のインターホンシステムの第１動作例を示すシーケンス図である。
【図５】図５は、同上のインターホンシステムの第２動作例を示すシーケンス図である。
【図６】図６Ａ及び図６Ｂは、それぞれ同上のインターホン親機の表示部に表示される画面の一例を示す図である。
【発明を実施するための形態】
【００１２】
（１）概要
本実施形態に係るインターホンシステム１は、図１に示すように、インターホン親機１０と、インターホン子機２０と、制御装置３０と、を備えている。本実施形態では、インターホンシステム１が集合住宅用のインターホンシステムである場合を例として説明する。また、ここでは、インターホン親機１０の概要について説明し、インターホン子機２０及び制御装置３０については、後述する「（２）構成」にて説明する。
【００１３】
インターホン親機１０は、例えば、集合住宅の住戸である施設内（第１エリアＡ１）に設置される室内親機である。インターホン子機２０は、例えば、集合住宅のロビーなどの共用スペース（第２エリアＡ２）に設置されるロビーインターホンである（図３参照）。インターホン親機１０とインターホン子機２０とは、制御装置３０を介して互いに通信可能に構成されている。これにより、本実施形態に係るインターホンシステム１では、インターホン親機１０とインターホン子機２０との間で通話可能となる。
【００１４】
インターホン親機１０は、通信部１１と、制御部１２と、を備えている。通信部１１は、インターホン親機１０が設けられているエリア、すなわち利用者が利用する第１エリアＡ１（ここでは、居住者が住む住戸）に設けられている。通信部１１は、第２エリアＡ２（ここでは、共用スペース）に設置されたインターホン子機２０（ここでは、ロビーインターホン）が来訪者Ｂ１（図６Ａ参照）による操作を受けることをトリガとして、インターホン子機２０との間で通信可能に構成されている。つまり、インターホン親機１０は、来訪者Ｂ１がインターホン子機２０を操作して呼出を行うことで、インターホン子機２０との間で通信を行うことができる。言い換えれば、インターホン親機１０は、呼出を受けていない状態においては、利用者（ここでは、居住者）による操作を受け付けても、インターホン子機２０との間で通信を行うことができない。本開示でいう「呼出」は、インターホン子機２０を操作して来訪者Ｂ１が訪問先の第１エリアＡ１（ここでは、住戸）を呼び出すこと、つまり、来訪者Ｂ１が訪問先の第１エリアＡ１にいる利用者を呼び出すことをいう。また、本開示でいう「来訪者」は、住戸の居住者であって、外出先から帰宅するためにロビーを訪れる人も含む。
【００１５】
制御部１２は、維持機能を有している。維持機能は、通話状態が終了した後に、解錠操作を受け付ける受付状態を維持する機能である。通話状態は、インターホン子機２０及び通信部１１（インターホン親機１０）を介して来訪者Ｂ１と利用者との間で通話を行う状態である。解錠操作は、第１エリアＡ１と第２エリアＡ２との間の開口部（出入口）４を開閉する開閉部材（扉）５を解錠するための操作である。このように、本実施形態では、通話状態において利用者が解錠操作をし忘れた場合でも、受付状態にて利用者が解錠操作を行うことが可能である。つまり、本実施形態では、利用者が解錠操作を行わずに通話を終了した場合でも、開閉部材５を解錠することができる、という利点がある。
【００１６】
（２）構成
以下、本実施形態に係るインターホンシステム１に含まれるインターホン親機１０、インターホン子機２０、及び制御装置３０について図１〜図３を用いて詳細に説明する。以下の説明では、特に断りのない限り、「利用者」を「居住者」、「開口部」を「出入口」、「開閉部材」を「扉」として説明する。インターホンシステム１は、１つの建物が有する１以上のロビーにそれぞれ設置される１以上のインターホン子機２０と、１つの建物に入居する複数の住戸のそれぞれに設置される複数のインターホン親機１０と、を有している。１以上のインターホン子機２０は、それぞれ来訪者Ｂ１の操作によって呼出を行うことにより、複数のインターホン親機１０のうちの任意のインターホン親機１０と通信することが可能である。
【００１７】
以下では、１以上のインターホン子機２０のうち１台のインターホン子機２０のみについて説明する。残りのインターホン子機２０については、この１台のインターホン子機２０と同じ構成であるため、説明を省略する。また、以下では、複数のインターホン親機１０のうち、上記の１台のインターホン子機２０と通信可能な１台のインターホン親機１０について説明する。残りのインターホン親機１０については、この１台のインターホン親機１０と同じ構成であるため、説明を省略する。
【００１８】
（２．１）インターホン親機
まず、インターホン親機１０の構成について説明する。インターホン親機１０は、図１に示すように、通信部１１と、制御部１２と、表示部１３と、操作部１４と、通話部１５と、を備えている。
【００１９】
通信部１１は、インターホン子機２０と通信するための通信インタフェースである。通信部１１は、例えばツイストペア線等からなる２線式の伝送路を介して、制御装置３０及びインターホン子機２０と電気的に接続されている。通信部１１は、インターホン子機２０との間で音声信号及び制御信号などの種々の信号が双方向に伝送可能となるように、インターホン子機２０（後述する通信部２１）との間で双方向に通信可能に構成されている。本実施形態では、既に述べたように、通信部１１は、インターホン子機２０が来訪者Ｂ１による操作を受けることをトリガとして、インターホン子機２０との間で通信可能に構成されている。したがって、インターホン親機１０がインターホン子機２０と双方向に通信可能なのは、原則、インターホン親機１０及びインターホン子機２０を介して来訪者Ｂ１と居住者とが通話している期間である。
【００２０】
制御部１２は、例えばプロセッサ及びメモリを有するマイクロコンピュータで構成されている。そして、プロセッサがメモリに格納されているプログラムを実行することにより、マイクロコンピュータが制御部１２として機能する。プロセッサが実行するプログラムは、ここではマイクロコンピュータのメモリに予め記録されているが、メモリーカード等の非一時的な記録媒体に記録されて提供されてもよいし、インターネット等の電気通信回線を通じて提供されてもよい。
【００２１】
制御部１２は、インターホン子機２０との間で通話が可能な状態である場合に、通話部１５のマイクロホンから居住者の音声のデータ（音声信号）を受信すると、受信した音声信号を、通信部１１を介してインターホン子機２０へ送信する。また、制御部１２は、インターホン子機２０との間で通話が可能な状態である場合に、インターホン子機２０から来訪者Ｂ１の音声信号を受信すると、受信した音声信号を通話部１５のスピーカ１５１に出力する。このときスピーカ１５１は、受信した音声信号を基に音声を出力する。
【００２２】
また、制御部１２は、インターホン子機２０から通信部１１を介して画像信号を受けて、画像処理を行う。この場合、表示部１３は、制御部１２で処理された画像を表示する。ここで、画像信号は、インターホン子機２０の撮像部２３（後述する）で撮影された画像（映像を含む）のデータを含んでいる。つまり、制御部１２は、通信部１１にて画像信号を受信した場合、インターホン子機２０にて撮影された画像を表示部１３に表示することが可能である。
【００２３】
制御部１２は、維持機能を有している。維持機能は、既に述べたように、通話状態が終了した後に、解錠操作を受け付ける受付状態を維持する機能である。通話状態は、例えば通話終了信号をインターホン親機１０が通信部１１から送信したときに終了する。通話終了信号は、居住者がインターホン親機１０の操作部１４にて通話を終了する操作を行うことで、通信部１１から送信される。本実施形態では、通話状態において、居住者が操作部１４の通話釦１４１（後述する）を押操作することにより、通話状態が終了する。
【００２４】
また、本実施形態では、制御部１２は、通話状態において解錠操作がなされていない場合に、通話状態が終了した後に受付状態を維持する。つまり、通話状態において解錠操作がなされた場合には、制御部１２は、通話状態が終了した後に受付状態を維持せず、待機状態へ移行する。本開示でいう「待機状態」とは、インターホン親機１０が呼出を待ち受けている状態である。待機状態においては、制御部１２は、解錠操作を受け付けない。つまり、待機状態においては、居住者が操作部１４の解錠釦１４２を押操作しても、扉５を解錠することはできない。
【００２５】
制御部１２は、例えば通話が終了した時点から一定時間（例えば、数十秒間）、受付状態を維持する。制御部１２は、受付状態にて解錠操作を受け付けると、通信部１１を介して制御装置３０へ解錠信号を送信する。本実施形態では、受付状態において、居住者が操作部１４の解錠釦１４２（後述する）を押操作すると、制御部１２が解錠操作を受け付ける。制御部１２は、通話が終了してから一定時間が経過すると、受付状態から待機状態へ移行させる。
【００２６】
表示部１３は、例えば液晶ディスプレイ、又は有機ＥＬ（Electro Luminescence）ディスプレイなどの薄型のディスプレイ装置である。表示部１３は、インターホン子機２０から送信される画像信号に基づいて、画像を表示する。
【００２７】
操作部１４は、居住者の操作による入力を受け付ける入力装置である。操作部１４は、通話釦１４１と、解錠釦１４２と、を有している（図２参照）。通信部１１が呼出信号をインターホン子機２０から受信している状態で、通話釦１４１に対して所定の操作（ここでは、押操作）がなされると、インターホン親機１０とインターホン子機２０との間で通話可能な状態となる。また、通信部１１が呼出信号をインターホン子機２０から受信している状態、又は通話状態で、解錠釦１４２に対して所定の操作（ここでは、押操作）がなされると、通信部１１から解錠信号が制御装置３０へ送信される。ここで、「呼出信号をインターホン子機２０から受信している状態」とは、インターホン子機２０からの呼出がある状態をいう。また、呼出信号は、来訪者Ｂ１がインターホン子機２０にて呼出を開始する操作を行うことで、インターホン子機２０から送信される。
【００２８】
また、本実施形態では、操作部１４は、表示部１３の表示面に設置されるタッチパッドを含んでいる。つまり、表示部１３と操作部１４とは、タッチパネルを構成している。したがって、操作部１４は、表示部１３に表示される操作用のアイコンを居住者がタッチすることでも、入力を受け付けることが可能である。
【００２９】
通話部１５は、スピーカ１５１及びマイクロホンを含んでおり、インターホン子機２０との間で通話可能に構成されている。本実施形態では、スピーカ１５１は、インターホン子機２０を介して来訪者Ｂ１が発した音声を出力するだけでなく、呼出時において呼出音も出力する。また、本実施形態では、スピーカ１５１は、制御部１２に制御されることにより、受付状態である旨（又は、扉５が解錠されていない旨）を表す音声メッセージを出力する場合もある。
【００３０】
（２．２）インターホン子機
次に、インターホン子機２０の構成について説明する。インターホン子機２０は、図１に示すように、通信部２１と、制御部２２と、撮像部２３と、操作部２４と、通話部２５と、表示部２６と、を有している。
【００３１】
通信部２１は、インターホン親機１０と通信するための通信インタフェースである。通信部２１は、伝送路を介して制御装置３０及びインターホン親機１０の通信部１１と電気的に接続されている。通信部２１は、インターホン親機１０との間で音声信号及び制御信号などの種々の信号が双方向に伝送可能となるように、インターホン親機１０の通信部１１との間で双方向に通信可能に構成されている。
【００３２】
制御部２２は、例えばプロセッサ及びメモリを有するマイクロコンピュータで構成されている。そして、プロセッサがメモリに格納されているプログラムを実行することにより、マイクロコンピュータが制御部２２として機能する。プロセッサが実行するプログラムは、ここではマイクロコンピュータのメモリに予め記録されているが、メモリーカード等の非一時的な記録媒体に記録されて提供されてもよいし、インターネット等の電気通信回線を通じて提供されてもよい。
【００３３】
制御部２２は、インターホン親機１０との間で通話が可能な状態である場合に、通話部２５のマイクロホンから来訪者Ｂ１の音声のデータ（音声信号）を受信すると、受信した音声信号を、通信部２１を介してインターホン親機１０へ送信する。また、制御部２２は、インターホン親機１０との間で通話が可能な状態である場合に、インターホン親機１０から居住者の音声信号を受信すると、受信した音声信号を通話部２５のスピーカに出力する。このときスピーカは、受信した音声信号を基に音声を出力する。また、制御部２２は、撮像部２３で撮影した画像のデータを含む画像信号を、通信部２１を介してインターホン親機１０に送信する。
【００３４】
撮像部２３は、例えばＣＣＤ（Charge Coupled Devices）イメージセンサ、又はＣＭＯＳ（Complementary Metal-Oxide Semiconductor）イメージセンサ等の二次元イメージセンサ等の撮像素子を有し、被写体（来訪者Ｂ１等）を撮影するためのカメラである。本実施形態では、来訪者Ｂ１がインターホン子機２０を操作する際に少なくとも来訪者Ｂ１の顔を撮影できるように、撮像部２３の撮影エリア（視野）は、インターホン子機２０の前方に設定される。したがって、撮像部２３は、来訪者Ｂ１のみならず、来訪者Ｂ１の背景（つまり、第２エリアＡ２）を撮影する。本実施形態では、撮像部２３は動画を撮影するカメラであるが、静止画を撮影するカメラであってもよい。また、本実施形態では、撮像部２３はカラー画像を撮影するカメラであるが、モノクローム画像を撮影するカメラであってもよい。
【００３５】
操作部２４は、来訪者Ｂ１の操作による入力を受け付ける入力装置である。操作部２４は、例えば来訪者Ｂ１が訪問先の住戸の部屋番号を入力するためのテンキースイッチ、来訪者Ｂ１が訪問先の住戸を呼び出すための第１釦、及び来訪者Ｂ１が呼出を終了するための第２釦を有している。操作部２４に対して所定の操作（例えば、第１釦の押操作）がなされると、インターホン子機２０は、呼出信号を通信部２１からインターホン親機１０へ送信する。
【００３６】
通話部２５は、スピーカ及びマイクロホンを含んでおり、インターホン親機１０との間で通話可能に構成されている。なお、通話部２５のスピーカは、例えばインターホン親機１０から居住者の音声信号以外の音声信号を受信した場合に、この音声信号に基づく音声を出力してもよい。
【００３７】
表示部２６は、例えば液晶ディスプレイ、又は有機ＥＬディスプレイなどの薄型のディスプレイ装置である。表示部２６は、例えば来訪者Ｂ１が操作部２４にて訪問先の住戸の部屋番号を入力したときに、入力した部屋番号を表す画像を表示する。
【００３８】
（２．３）制御装置
次に、制御装置３０の構成について説明する。制御装置３０は、インターホン親機１０及びインターホン子機２０と通信を行うための通信インタフェースを有している。
【００３９】
制御装置３０は、インターホン子機２０から送信された信号を受信すると、受信した信号に含まれる識別番号（例えば、住戸番号）のインターホン親機１０に対して、受信した信号を送信する。インターホン子機２０から送信される信号は、例えば呼出信号、画像信号及び来訪者の音声信号などである。このとき、制御装置３０は、送信元のインターホン子機２０の識別番号を記憶する。制御装置３０は、例えば呼出が終了したとき、又は通話が終了したときに、記憶していた識別番号を破棄する。
【００４０】
また、制御装置３０は、インターホン親機１０から送信された信号を受信すると、受信した信号に含まれる識別番号が、このインターホン親機１０に対して呼出を行っているインターホン子機２０の識別番号と一致するか否かを判断する。一致する場合、制御装置３０は、受信した信号をインターホン子機２０へ送信する。一方、一致しない場合、制御装置３０は、受信した信号を破棄する。インターホン親機１０から送信される信号は、例えば居住者の音声信号などである。
【００４１】
また、制御装置３０は、第１エリアＡ１と第２エリアＡ２との間の出入口（開口部）４を開閉する扉（開閉部材）５の施錠及び解錠の制御を行う（図３参照）。例えば、制御装置３０は、インターホン親機１０から解錠信号を受信すると、扉５の解錠を行う。そして、制御装置３０は、扉５を解錠してから一定時間経過後、扉５の施錠を行う。
【００４２】
（３）動作
以下、本実施形態のインターホンシステム１の動作について説明する。以下では、インターホン子機２０及びインターホン親機１０を介して来訪者Ｂ１と居住者とが通話している状態、つまり通話状態にあると仮定する。また、以下では、通話状態において、居住者が解錠操作を行っていない、つまり扉５の解錠をし忘れていると仮定する。
【００４３】
（３．１）第１動作例
まず、インターホンシステム１の第１動作例について図４を用いて説明する。通話状態において、居住者は、来訪者Ｂ１と話し終えると、インターホン親機１０の操作部１４の通話釦１４１を押操作する（Ｓ１）。これにより、インターホン親機１０から制御装置３０へ通話終了信号が送信される。通話終了信号は、通話の終了を要求するための信号であり、送信元のインターホン親機１０の識別番号と、送信先のインターホン子機２０の識別番号と、を含んでいる。
【００４４】
通話終了信号を受信した制御装置３０は、受信した通話終了信号を、送信先のインターホン子機２０に対して送信する。このとき、制御装置３０は、通話終了信号に含まれるインターホン親機１０の識別番号を、通話終了信号を受信してから一定期間（つまり、受付状態が維持されている期間）が経過するまでの間、記憶する（Ｓ２）。
【００４５】
通話終了信号を受信したインターホン子機２０は、通話を終了する（Ｓ３）。また、通話終了信号を送信したインターホン親機１０も、通話を終了する（Ｓ４）。ここでは、インターホン親機１０は、通話終了信号を送信した時点で、通話を終了する。そして、インターホン親機１０は、通話を終了してから一定期間、受付状態を維持する（Ｓ５）。受付状態において、居住者は、扉５を解錠し忘れていることに気付くと、インターホン親機１０の操作部１４の解錠釦１４２を押操作する（Ｓ６）。これにより、インターホン親機１０から制御装置３０へ解錠信号が送信される。解錠信号は、送信元のインターホン親機１０の識別番号を含んでいる。
【００４６】
解錠信号を受信した制御装置３０は、解錠信号に含まれるインターホン親機１０の識別番号と、一時的に記憶しているインターホン親機１０の識別番号とを照合する（Ｓ７）。識別番号が一致する場合、制御装置３０は、扉５を解錠する（Ｓ８）。一方、識別番号が一致しない場合、制御装置３０は、解錠信号を破棄する。上述のように、第１動作例では、制御部１２は、受付状態において解錠操作を受け付けると、開閉部材（扉）５を解錠する。
【００４７】
ここで、比較例のインターホンシステムとの比較を交えて、本実施形態のインターホンシステム１（つまり、インターホン親機１０）の利点について説明する。比較例のインターホンシステムは、インターホン親機の制御部が維持機能を有していない点で、本実施形態のインターホンシステム１と相違する。
【００４８】
比較例のインターホンシステムでは、通話状態において、居住者が解錠操作を行わずに誤って通話終了の操作を行った場合、または解錠操作と勘違いして通話終了の操作を行った場合、制御部は、受付状態へ移行せずに待機状態へ移行する。既に述べたように、待機状態においては、居住者が解錠釦を押操作しても、扉を解錠することはできない。このような場合、居住者は、扉が解錠されないことに気付いた来訪者から再度呼び出してもらい、再び来訪者と通話しない限り、解錠操作を行うことができない。
【００４９】
一方、本実施形態のインターホンシステム１では、インターホン親機１０の制御部１２は、通話状態が終了した後に、解錠操作を受け付ける受付状態を維持している。このため、仮に居住者が解錠操作を行わずに誤って通話終了の操作を行った場合、または解錠操作と勘違いして通話終了の操作を行ったとしても、居住者が受付状態において解錠操作を行うことで、扉５を解錠することが可能である。つまり、本実施形態では、居住者が解錠操作を行わずに通話を終了した場合でも、扉５を解錠することができる、という利点がある。このため、本実施形態では、扉５を解錠するために来訪者Ｂ１に再度呼び出してもらう等の手間を省くことができる。
【００５０】
（３．２）第２動作例
次に、インターホンシステム１の第２動作例について図５を用いて説明する。通話状態において、居住者は、来訪者Ｂ１と話し終えると、インターホン親機１０の操作部１４の通話釦１４１を押操作する（Ｓ１１）。これにより、インターホン親機１０から制御装置３０へ通話終了信号が送信される。通話終了信号は、通話の終了を要求するための信号であり、送信元のインターホン親機１０の識別番号と、送信先のインターホン子機２０の識別番号と、を含んでいる。
【００５１】
通話終了信号を受信した制御装置３０は、受信した通話終了信号を、送信先のインターホン子機２０に対して送信する。このとき、制御装置３０は、通話終了信号に含まれるインターホン親機１０の識別番号と、インターホン子機２０の識別番号とを、通話終了信号を受信してから一定期間（つまり、受付状態が維持されている期間）が経過するまでの間、記憶する（Ｓ１２）。
【００５２】
通話終了信号を受信したインターホン子機２０は、通話を終了する（Ｓ１３）。また、通話終了信号を送信したインターホン親機１０も、通話を終了する（Ｓ１４）。ここでは、インターホン親機１０は、通話終了信号を送信した時点で、通話を終了する。そして、インターホン親機１０は、通話を終了してから一定期間、受付状態を維持する（Ｓ１５）。受付状態において、居住者は、扉５を解錠し忘れていることに気付くと、インターホン親機１０の操作部１４の通話釦１４１を押操作する（Ｓ１６）。これにより、インターホン親機１０から制御装置３０へ通話要求信号が送信される。通話要求信号は、通話対象であったインターホン子機２０との通話を再度要求する信号であり、このインターホン子機２０の識別番号を含んでいる。つまり、受付状態においては、インターホン親機１０は、通話対象であったインターホン子機２０の識別番号を記憶している。
【００５３】
通話要求信号を受信した制御装置３０は、通話要求信号に含まれるインターホン子機２０の識別番号と、一時的に記憶しているインターホン子機２０の識別番号とを照合する（Ｓ１７）。識別番号が一致する場合、制御装置３０は、通話要求信号の送信元のインターホン親機１０と、通話対象であったインターホン子機２０と、にそれぞれ通話信号を送信する。これにより、通話対象であったインターホン子機２０とインターホン親機１０とが、再び通話状態となる（Ｓ１８，Ｓ１９）。一方、識別番号が一致しない場合、制御装置３０は、通話要求信号を破棄する。
【００５４】
そして、再度の通話状態において、居住者は、インターホン親機１０の操作部１４の解錠釦１４２を押操作する（Ｓ２０）。これにより、インターホン親機１０から制御装置３０へ解錠信号が送信される。解錠信号を受信した制御装置３０は、扉５を解錠する（Ｓ２１）。上述のように、第２動作例では、制御部１２は、受付状態において、通話を開始するための通話操作を受け付けると、通話状態を再開させる。そして、制御部１２は、通話状態において解錠操作を受け付けると、開閉部材（扉）５を解錠する。
【００５５】
第２動作例においても、結果として、受付状態にて通話操作を受け付けることにより、間接的に解錠操作を受け付けている。したがって、第２動作例では、第１動作例と同様に、居住者が解錠操作を行わずに通話を終了した場合でも、扉５を解錠することができる、という利点がある。更に、第２動作例では、扉５を解錠する前に再度、来訪者Ｂ１と通話することにより、扉５を不意に解錠する場合と比較して、来訪者Ｂ１に安心感を与えることができる、という利点がある。
【００５６】
（４）変形例
上述の実施形態は、本開示の様々な実施形態の一つに過ぎない。上述の実施形態は、本開示の目的を達成できれば、設計等に応じて種々の変更が可能である。また、インターホン親機１０と同様の機能は、制御方法、コンピュータプログラム、又はコンピュータプログラムを記録した非一時的記録媒体等で具現化されてもよい。
【００５７】
一態様に係る制御方法は、インターホン親機１０として機能する機器の制御方法である。インターホン親機１０は、利用者が利用する第１エリアＡ１に設けられて、第２エリアＡ２に設置されたインターホン子機２０が来訪者Ｂ１による操作を受けることをトリガとして、インターホン子機２０との間で通信可能に構成されている。この制御方法は、維持ステップを有する。維持ステップは、通話状態が終了した後に、解錠操作を受け付ける受付状態を維持するステップである。通話状態は、インターホン子機２０及び通信部１１を介して来訪者Ｂ１と利用者との間で通話を行う状態である。解錠操作は、第１エリアＡ１と第２エリアＡ２との間の開口部４を開閉する開閉部材５を解錠するための操作である。
【００５８】
一態様に係るプログラムは、インターホン親機１０として機能する機器を制御するためのプログラムである。インターホン親機１０は、利用者が利用する第１エリアＡ１に設けられて、第２エリアＡ２に設置されたインターホン子機２０が来訪者Ｂ１による操作を受けることをトリガとして、インターホン子機２０との間で通信可能に構成されている。このプログラムは、コンピュータシステムに、維持ステップを実行させるためのプログラムである。維持ステップは、通話状態が終了した後に、解錠操作を受け付ける受付状態を維持するステップである。通話状態は、インターホン子機２０及び通信部１１を介して来訪者Ｂ１と利用者との間で通話を行う状態である。解錠操作は、第１エリアＡ１と第２エリアＡ２との間の開口部４を開閉する開閉部材５を解錠するための操作である。
【００５９】
ここで、上記の「機器」は、インターホン親機１０自体であってもよいし、インターホン親機１０に通信可能に接続されて、インターホン親機１０の代わりにインターホン親機１０としての機能を発揮する機器であってもよい。このような機器は、例えば、スマートフォン、タブレット端末等の携帯端末、又はモニタ付副親機などがある。機器が携帯端末の場合は、例えばインターホン親機１０としての機能を実行可能なアプリケーションを機器にインストールすることで、機器をインターホン親機１０として機能させることが可能である。
【００６０】
以下、上述の実施形態の変形例を列挙する。以下に説明する変形例は、適宜組み合わせて適用可能である。
【００６１】
本開示におけるインターホン親機１０は、例えば、制御部１２等に、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における制御部１２等の機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００６２】
上述の実施形態において、インターホン親機１０の制御部１２は、受付状態である旨を居住者（利用者）へ報知してもよい。例えば、制御部１２は、受付状態において、「解錠操作が可能です」等のメッセージを表示部１３に表示したり、上記のメッセージを音声にて通話部１５のスピーカ１５１から出力したりしてもよい。この場合、居住者は、通話が終了した後であっても、来訪者Ｂ１からの再度の呼出を待たずに解錠操作を行うことが可能であることを把握しやすい、という利点がある。
【００６３】
また、上述の実施形態において、インターホン親機１０の制御部１２は、受付状態において扉（開閉部材）５が解錠されていない旨を利用者へ報知してもよい。例えば、制御部１２は、受付状態において、「扉が解錠されていません」等のメッセージを表示部１３に表示したり、上記のメッセージを音声にて通話部１５のスピーカ１５１から出力したりしてもよい。この場合、居住者が扉５の解錠をし忘れていることを居住者に気付かせやすい、という利点がある。
【００６４】
上述の実施形態において、インターホン親機１０は、表示部１３を備えている。また、インターホン親機１０の通信部１１は、画像信号を受信することにより、インターホン子機２０の撮像部２３で撮影された画像（つまり、ロビー（第２エリアＡ２）にて撮影された画像）を、インターホン子機２０を介して取得可能である。そこで、制御部１２は、受付状態においてロビー（第２エリアＡ２）にて撮影された画像を表示部１３に表示してもよい。この場合、居住者は、ロビー（第２エリアＡ２）の状況を把握しながら、扉５の解錠を行うか否かを判断しやすい、という利点がある。つまり、この場合、居住者は、ロビーに来訪者Ｂ１以外の第三者がいれば、第三者が立ち去るまで扉５の解錠を行わない等の判断を下すことが可能である。
【００６５】
また、インターホン親機１０の通信部１１がロビー（第２エリアＡ２）に設置された監視カメラで撮影された画像を含む画像信号を取得可能であれば、制御部１２は、この画像を表示部１３に表示してもよい。この場合、図６Ａ及び図６Ｂに示すように、表示部１３には、例えばロビーに留まっている来訪者Ｂ１と、解錠されず閉じられたままの扉５と、を含む画像１３１が表示される。この場合、居住者が、ロビー（第２エリアＡ２）の状況をより正確に把握しやすい、という利点がある。
【００６６】
また、図６Ａに示すように、制御部１２は、受付状態において、画像１３１の他に「解錠」等の解錠が可能であることを表すアイコン１３２を表示してもよい。この場合、居住者は、アイコン１３２をタッチする、又は解錠釦１４２を押操作することにより、解錠操作を行うことが可能である。
【００６７】
また、図６Ｂに示すように、制御部１２は、受付状態において、画像１３１の他に「再通話」等の再度の通話が可能であることを表すアイコン１３２を表示してもよい。この場合、居住者は、アイコン１３２をタッチする、又は通話釦１４１を押操作することにより、来訪者Ｂ１と再度の通話を行う、つまり受付状態から再び通話状態へ移行させることが可能である。
【００６８】
ここで、上述の「解錠」のアイコン１３２、又は「再通話」のアイコン１３２は、いずれも通話状態において解錠操作が行われずに通話が終了した場合にのみ表示部１３に表示されるのが好ましい。つまり、制御部１２は、通話状態においては表示されないアイコン１３２を、受付状態において表示部１３に表示することにより、解錠操作が行われていない旨を居住者に報知することが可能である。上述の「解錠」のアイコン１３２、及び「再通話」のアイコン１３２は、両方とも表示部１３に表示させてもよい。
【００６９】
上述の実施形態において、インターホン親機１０の制御部１２は、利用者が解錠操作を行った場合でも、一定時間（例えば、数秒間）、受付状態を更に維持してもよい。受付状態を更に維持する時間は、例えば扉５を解錠してから自動的に施錠されるまでの時間よりも長いことが好ましい。また、制御部１２は、この時間において、ロビー（第２エリアＡ２）にて撮影された画像を表示部１３に表示するのが好ましい。この態様では、以下の問題を解消し得る。すなわち、例えば、配送業者が荷物を置いた状態で通話を行っていた場合、荷物を持ち直している間に扉５が再び施錠されてしまう可能性がある。このような状況を居住者が把握することができれば、解錠操作を再び行うことで、配送業者が再度の呼出を行わずとも、配送業者を住戸（第１エリアＡ１）へ案内することが可能である。
【００７０】
上述の実施形態において、インターホン親機１０の制御部１２は、利用者が解錠操作を行った後に、ロビー（第２エリアＡ２）で撮影された画像を表示部１３に表示してもよい。この場合、制御部１２は、利用者による１回目の解錠操作により、扉５を解錠してもよいし、利用者による２回目の解錠操作により、扉５を解錠してもよい。後者の場合、利用者による１回目の解錠操作は、表示部１３に画像を表示させる操作に相当する。後者の場合、居住者は、ロビーの画像を見ながら扉５を解錠するか否かを判断することが可能である。例えば、１回目の解錠操作で扉５を解錠した場合、来訪者Ｂ１以外の第三者がロビーにいれば、第三者を住戸（第１エリアＡ１）に案内してしまう可能性がある。一方、２回目の解錠操作で扉５を解錠する場合には、ロビーに第三者がいるか否かを把握することができるので、第三者を住戸に案内してしまう可能性を低減することができる。
【００７１】
上述の実施形態では、制御装置３０が扉５の施錠及び解錠を行っているが、これに限定する趣旨ではない。例えば、インターホン親機１０が扉５の施錠及び解錠を行う構成であってもよい。この場合、扉５は、例えばインターホン親機１０から送信された解錠信号を受信することにより、解錠を行えばよい。また、例えば、インターホン子機２０が扉５の施錠及び解錠を行う構成であってもよい。この場合、インターホン子機２０は、例えばインターホン親機１０から送信された解錠信号を受信することにより、扉５の解錠を行えばよい。
【００７２】
上述の実施形態において、インターホン親機１０及びインターホン子機２０が、それぞれ制御装置３０の機能を代替する場合、制御装置３０はインターホンシステム１に必須の構成要件ではない。つまり、インターホンシステム１は、インターホン親機１０と、インターホン子機２０と、を備えていればよい。
【００７３】
上述の実施形態では、インターホン子機２０はロビーインターホンであるが、これに限定する趣旨ではない。例えば、インターホン子機２０は、住戸の外玄関に設置されるインターホンであってもよい。また、上述の実施形態では、インターホンシステム１は集合住宅に適用されているが、これに限定する趣旨ではない。例えば、インターホンシステム１は、オフィス、工場等の非住宅、又は戸建てに適用されてもよい。つまり、インターホンシステム１においては、利用者が利用する第１エリアＡ１にインターホン親機１０が、第１エリアＡ１とは異なる第２エリアＡ２にインターホン子機２０が設置されていればよい。
【００７４】
（まとめ）
以上述べたように、第１の態様に係るインターホン親機（１０）は、通信部（１１）と、制御部（１２）と、を備える。通信部（１１）は、利用者が利用する第１エリア（Ａ１）に設けられて、第２エリア（Ａ２）に設置されたインターホン子機（２０）が来訪者（Ｂ１）による操作を受けることをトリガとして、インターホン子機（２０）との間で通信可能に構成されている。制御部（１２）は、維持機能を有する。維持機能は、通話状態が終了した後に、解錠操作を受け付ける受付状態を維持する機能である。通話状態は、インターホン子機（２０）及び通信部（１１）を介して来訪者（Ｂ１）と利用者との間で通話を行う状態である。解錠操作は、第１エリア（Ａ１）と第２エリア（Ａ２）との間の開口部（出入口）（４）を開閉する開閉部材（扉）（５）を解錠するための操作である。
【００７５】
この態様によれば、利用者が解錠操作を行わずに通話を終了した場合でも、開閉部材（５）を解錠することができる、という利点がある。
【００７６】
第２の態様に係るインターホン親機（１０）では、第１の態様において、制御部（１２）は、受付状態において解錠操作を受け付けると、開閉部材（５）を解錠する。
【００７７】
この態様によれば、来訪者（Ｂ１）と再度、通話することなく、開閉部材（５）を解錠することができる、という利点がある。
【００７８】
第３の態様に係るインターホン親機（１０）では、第１又は第２の態様において、制御部（１２）は、受付状態において、通話を開始するための通話操作を受け付けると、通話状態を再開させる。制御部（１２）は、通話状態において解錠操作を受け付けると、開閉部材（５）を解錠する。
【００７９】
この態様によれば、来訪者（Ｂ１）と通話した上で開閉部材（５）を解錠することができるので、開閉部材（５）を不意に解錠する場合と比較して、来訪者（Ｂ１）に安心感を与えることができる、という利点がある。
【００８０】
第４の態様に係るインターホン親機（１０）では、第１〜第３のいずれかの態様において、制御部（１２）は、受付状態である旨を利用者へ報知する。
【００８１】
この態様によれば、通話が終了した後であっても、来訪者（Ｂ１）からの再度の呼出を待たずに解錠操作を行うことが可能であることを利用者が把握しやすい、という利点がある。
【００８２】
第５の態様に係るインターホン親機（１０）は、第１〜第４のいずれかの態様においては、表示部（１３）を更に備える。通信部（１１）は、第２エリア（Ａ２）にて撮影された画像を、インターホン子機（２０）を介して取得可能である。制御部（１２）は、受付状態において第２エリア（Ａ２）にて撮影された画像を表示部（１３）に表示する。
【００８３】
この態様によれば、利用者が第２エリア（Ａ２）の状況を把握しながら開閉部材（５）の解錠を行うか否かを判断しやすい、という利点がある。
【００８４】
第６の態様に係るインターホン親機（１０）では、第１〜第５のいずれかの態様において、制御部（１２）は、受付状態において開閉部材（５）が解錠されていない旨を利用者へ報知する。
【００８５】
この態様によれば、利用者が開閉部材（５）の解錠をし忘れていることを利用者に気付かせやすい、という利点がある。
【００８６】
第７の態様に係るインターホンシステム（１）は、第１〜第６のいずれかの態様のインターホン親機（１０）と、インターホン子機（２０）と、を備える。
【００８７】
この態様によれば、利用者が解錠操作を行わずに通話を終了した場合でも、開閉部材（５）を解錠することができる、という利点がある。
【００８８】
第８の態様に係る制御方法は、インターホン親機（１０）として機能する機器の制御方法である。インターホン親機（１０）は、利用者が利用する第１エリア（Ａ１）に設けられている。インターホン親機（１０）は、第２エリア（Ａ２）に設置されたインターホン子機（２０）が来訪者（Ｂ１）による操作を受けることをトリガとして、インターホン子機（２０）との間で通信可能に構成されている。この制御方法は、維持ステップを有する。維持ステップは、通話状態が終了した後に、解錠操作を受け付ける受付状態を維持するステップである。通話状態は、インターホン子機（２０）及びインターホン親機（１０）を介して来訪者（Ｂ１）と利用者との間で通話を行う状態である。解錠操作は、第１エリア（Ａ１）と第２エリア（Ａ２）との間の開口部（４）を開閉する開閉部材（５）を解錠するための操作である。
【００８９】
この態様によれば、利用者が解錠操作を行わずに通話を終了した場合でも、開閉部材（５）を解錠することができる、という利点がある。
【００９０】
第９の態様に係るプログラムは、インターホン親機（１０）として機能する機器を制御するためのプログラムである。インターホン親機（１０）は、利用者が利用する第１エリア（Ａ１）に設けられている。インターホン親機（１０）は、第２エリア（Ａ２）に設置されたインターホン子機（２０）が来訪者（Ｂ１）による操作を受けることをトリガとして、インターホン子機（２０）との間で通信可能に構成されている。このプログラムは、コンピュータシステムに、維持ステップを実行させるためのプログラムである。維持ステップは、通話状態が終了した後に、解錠操作を受け付ける受付状態を維持するステップである。通話状態は、インターホン子機（２０）及びインターホン親機（１０）を介して来訪者（Ｂ１）と利用者との間で通話を行う状態である。解錠操作は、第１エリア（Ａ１）と第２エリア（Ａ２）との間の開口部（４）を開閉する開閉部材（５）を解錠するための操作である。
【００９１】
この態様によれば、利用者が解錠操作を行わずに通話を終了した場合でも、開閉部材（５）を解錠することができる、という利点がある。
【００９２】
第２〜第６の態様に係る構成については、インターホン親機（１０）に必須の構成ではなく、適宜省略可能である。
【符号の説明】
【００９３】
１  インターホンシステム
１０  インターホン親機
１１  通信部
１２  制御部
１３  表示部
２０  インターホン子機
４  出入口（開口部）
５  扉（開閉部材）
Ａ１  第１エリア
Ａ２  第２エリア
Ｂ１  来訪者
【図１】
2019140579.tif 000003
【図２】
2019140579.tif 000004
【図３】
2019140579.tif 000005
【図４】
2019140579.tif 000006
【図５】
2019140579.tif 000007
【図６】
2019140579.tif 000008